(57)【要約】    【課題】  扉体全体の剛性を容易に確保できると共に、移動端側の垂れ下がりを確実に防止できるようにする。    【解決手段】  ７箇所の交差部７で交差する複数本の右上がり傾斜リンク８と左上がり傾斜リンク９とを交差部７でピン軸１６〜１８により枢着して扉体３を構成し、扉体３の長手方向の一端側を吊り元側支柱１等の取り付け部に取り付ける。上から２番目の交差部７を除く各交差部７にピン軸１６〜１８を配置すると共に、各傾斜リンク８，９の各ピン軸１６〜１８用の枢着孔の内、各傾斜リンク８，９の長手方向の中央側の枢着孔を、長手方向の両端側の枢着孔の中心間を結ぶ線分よりも各傾斜リンク８，９の幅方向の下側に偏位し、各傾斜リンク８，９上の隣接するピン軸１６〜１８相互の軸間距離の内、扉体３の最下部側の軸間距離を最上部の軸間距離を除く上側の軸間距離よりも長くし、最上部の軸間距離をその下側の軸間距離の略２倍よりも短くしたものである。【選択図】    図６
0003114582.tif 000002
【実用新案登録請求の範囲】
【請求項１】
少なくとも５箇所の交差部で交差する複数本の右上がり傾斜リンクと左上がり傾斜リンクとを前記交差部でピン軸により枢着して扉体を構成し、該扉体の長手方向の一端側を吊り元側支柱等の取り付け部に取り付けたハンガー式伸縮門扉において、少なくとも上から２番目の前記交差部を除く前記各交差部に前記ピン軸を配置すると共に、前記各傾斜リンクの前記各ピン軸用の枢着孔の内、前記各傾斜リンクの長手方向の中央側の枢着孔を、前記長手方向の両端側の枢着孔の中心間を結ぶ線分Ｌよりも前記各傾斜リンクの幅方向の下側に偏位し、前記各傾斜リンク上の隣接する前記ピン軸相互の軸間距離の内、前記扉体の最下部側の軸間距離を最上部の軸間距離を除く上側の軸間距離よりも長くし、前記最上部の軸間距離をその下側の軸間距離の略２倍よりも短くしたことを特徴とするハンガー式伸縮門扉。
【請求項２】
前記扉体の長手方向の中間部の前記各傾斜リンクは５箇所以上の前記交差部を有し、上から２番目の前記交差部を除く前記各交差部に前記ピン軸を配置し、前記各傾斜リンクの下から３番目の前記ピン軸の上下両側の前記軸間距離を略同じにしたことを特徴とする請求項１に記載のハンガー式伸縮門扉。
【請求項３】
前記各傾斜リンクは最上部のピン軸間が他のピン軸間よりも前記各傾斜リンクの幅方向の弾性変形量が大であることを特徴とする請求項１又は２に記載のハンガー式伸縮門扉。
【考案の詳細な説明】
【技術分野】
【０００１】
本考案は、ハンガー式伸縮門扉に関し、扉体の伸長状態での移動端側の垂れ下がりを防止できるようにしたものである。
【背景技術】
【０００２】
複数本の右上がり傾斜リンクと左上がり傾斜リンクとをその交差部でピン軸により枢着して長手方向に伸縮自在な扉体を構成し、この扉体の長手方向の一端側を吊り元側支柱に取り付けたハンガー式伸縮門扉では、扉体を延ばした場合の移動端側の垂れ下がりが問題となる。
【０００３】
この垂れ下がりの防止対策としては、従来、各傾斜リンクの長手方向の７箇所の交差部の内、その中央の交差部を除く６箇所の交差部をピン軸により枢着すると共に、上下両側の各３個のピン軸相互間の軸間距離を、下側よりも上側が短くなるように上下方向に夫々変えたもの（特許文献１）と、各傾斜リンクのピン軸用の枢着孔の内、長手方向の中央側の枢着孔を、両端の枢着孔の中心間を結ぶ線分よりも幅方向の下側に偏位して配置したもの（特許文献１）とがある。
【特許文献１】特開平９−１７７４５５号公報
【特許文献２】特開２０００−８７６６９号公報
【考案の開示】
【考案が解決しようとする課題】
【０００４】
従来の前者の伸縮門扉は、扉体の上下方向の中央の交差部のピン軸を省略し、その上下両側の３箇所の交差部をピン軸により枢着しているため、扉体の全体の剛性が低下する欠点がある。即ち、従来の構造では、交差部がピン軸で枢着された４節リンク数が非常に少なくなるため、扉体の全体の剛性が低下し、伸縮操作時に扉体が不安定に揺れ動いたり、大きな外力が作用したときに変形又は損傷したりする等の問題がある。
【０００５】
また後者の伸縮門扉は、各傾斜リンクの幅方向の撓みによる弾性力を利用して移動端側の垂れ下がりを防止するため、垂れ下がりを確実に防止するには、その弾性力を十分に確保する必要がある。しかし、この場合には、組み立て時に傾斜リンクの弾性力に抗しながら、枢着孔にピン軸を挿入するため、その組み立てが困難であると共に、傾斜リンクの各枢着孔と、その枢着孔に挿入された各ピン軸との間での摩耗が激しくなる欠点がある。
【０００６】
本考案は、このような従来の問題点に鑑み、扉体全体の剛性を容易に確保できると共に、移動端側の垂れ下がりを確実に防止でき、しかも組み立て等も容易であり、ピン軸の摩耗等を極力防止できるハンガー式伸縮門扉を提供することを目的とする。
【課題を解決するための手段】
【０００７】
本考案は、少なくとも５箇所の交差部７で交差する複数本の右上がり傾斜リンク８と左上がり傾斜リンク９とを前記交差部７でピン軸１６〜１８により枢着して扉体３を構成し、該扉体３の長手方向の一端側を吊り元側支柱１等の取り付け部に取り付けたハンガー式伸縮門扉において、少なくとも上から２番目の前記交差部７を除く前記各交差部７に前記ピン軸１６〜１８を配置すると共に、前記各傾斜リンク８，９の前記各ピン軸１６〜１８用の枢着孔の内、前記各傾斜リンク８，９の長手方向の中央側の枢着孔を、前記長手方向の両端側の枢着孔の中心間を結ぶ線分Ｌよりも前記各傾斜リンク８，９の幅方向の下側に偏位し、前記各傾斜リンク８，９上の隣接する前記ピン軸１６〜１８相互の軸間距離の内、前記扉体３の最下部側の軸間距離を最上部の軸間距離を除く上側の軸間距離よりも長くし、前記最上部の軸間距離をその下側の軸間距離の略２倍よりも短くしたものである。
【０００８】
前記扉体３の長手方向の中間部の前記各傾斜リンク８，９は５箇所以上の前記交差部７を有し、上から２番目の前記交差部７を除く前記各交差部７に前記ピン軸１６〜１８を配置し、前記各傾斜リンク８，９の下から３番目の前記ピン軸の上下両側の前記軸間距離が略同じである。前記各傾斜リンク８，９は最上部のピン軸間が他のピン軸間よりも前記各傾斜リンク８，９の幅方向の弾性変形量が大である。
【考案を実施するための最良の形態】
【０００９】
以下に、本考案の実施例を図面に基づいて詳述する。図１〜図７は本考案のハンガー式伸縮門扉の第１の実施例を例示する。このハンガー式伸縮門扉は、図１〜図３に示すように、出入り口等の左右両側で地面に立設された吊り元側支柱１及び戸当たり側支柱２と、これらの両支柱１，２間に左右方向に伸縮自在に配置され且つ一端側が吊り元側支柱１に取り付けられた扉体３とを備えている。
【００１０】
各扉体３は、一端側に配置された上下方向の吊り元側端枠４と、他端側に配置された上下方向の戸当たり側端枠５と、両端枠４，５間に等間隔を置いて上下方向に配置された複数本の縦枠材６と、両端枠４，５間に右上がり及び左上がりに配置され且つ各端枠４，５、縦枠材６に対応して上下方向の複数箇所、例えば４箇所の交差部７で、隣り合う縦枠材６間で上下方向の複数箇所、例えば３箇所の交差部７で夫々交差する複数本の右上がり傾斜リンク８及び左上がり傾斜リンク９とを有し、出入り口等の開閉方向（左右方向）に伸縮自在に構成されている。中間の縦枠材６には落とし棒１０が設けられている。
【００１１】
吊り元側端枠４は、扉体３を吊り元側支柱１の背後等に旋回収納できるように、吊り元側支柱１に対して縦方向のヒンジ１１廻りに回動自在に装着されている。戸当たり側端枠５は把手１２、施錠手段を備え、戸当たり側支柱２に当接した閉状態で施錠手段により施錠可能である。なお、吊り元側端枠４、戸当たり側端枠５は縦枠材６を兼用している。
【００１２】
傾斜リンク８，９は、前後方向の厚さよりも正面視の幅が大きい矩形筒状のアルミ又はアルミ系合金の押し出し型材が使用されている。この傾斜リンク８，９には、端枠４，５又は他の傾斜リンク８，９と交差する交差部７の数に応じて長尺、中尺、短尺と長さの異なる複数種類のものがあり、それらの各傾斜リンク８，９を多数本（複数本）組み合わせることにより、開閉方向に伸縮自在なパンタグラフ機構１３が構成されている。端枠４，５、縦枠材６は傾斜リンク８，９を挟んでその前後に配置され、上下両端が上部キャップ１４、下部キャップ１５により前後方向に連結されている。
【００１３】
中尺の傾斜リンク８，９、短尺の傾斜リンク８，９は、扉体３の左右方向の両端に夫々１本ずつ配置され、長尺の傾斜リンク８，９は扉体３の左右方向の両端間に多数本（複数本）配置されている。長尺の傾斜リンク８，９は、少なくとも５箇所、例えば７箇所の交差部７で端枠４，５又は他の傾斜リンク８，９と交差し、また中尺、短尺の傾斜リンク８，９は長尺の傾斜リンク８，９の７箇所の交差部７に対応する高さの５箇所、３箇所の交差部７で端枠４，５又は他の傾斜リンク８，９と夫々交差している。そして、各傾斜リンク８，９はその各交差部７の内、上側から２番目の交差部７を除く各交差部７で固定ピン軸１６、可動ピン軸１７及び遊動ピン軸１８等の前後方向の各ピン軸１６〜１８により相対回動自在に枢着されている。
【００１４】
固定ピン軸１６は傾斜リンク８，９上の下から３番目の交差部７に設けられ、図４（Ａ）に縦枠材６に対する枢着部分を示すように、前後の各端枠４，５、縦枠材６間に配置され、各端枠４，５、縦枠材６に前後両側から枢着されたリベット１６ａ等により、各端枠４，５、縦枠材６に上下動不能に固定されている。固定ピン軸１６には、各傾斜リンク８，９、端枠４，５、縦枠材６間の間隔を規制するスリーブ１９が套嵌されている。
【００１５】
可動ピン軸１７は各端枠４，５、縦枠材６に対応する交差部７、即ち傾斜リンク８，９の上から１番目、３番目、７番目の奇数番目の交差部７に設けられると共に、図４（Ｂ）に縦枠材６に対する枢着部分を示すように、前後の案内ローラ２０を介して各端枠４，５、縦枠材６に上下方向に移動自在に支持されている。案内ローラ２０は各端枠４，５、縦枠材６内の上下方向にリブ２１に係合して上下方向に転動自在であり、また可動ピン軸１７には、各傾斜リンク８，９、端枠４，５、縦枠材６間の間隔を規制するスリーブ２２が套嵌されている。
【００１６】
遊動ピン軸１８は、各端枠４，５を含む隣り合う縦枠材６間の上下の交差部７の内の上側を除く交差部７、即ち傾斜リンク８，９の上から２番目、４番目、６番目の偶数番目の交差部７の内の２番目を除く各交差部７に設けられている。なお、各遊動ピン軸１８上には、図４（Ｃ）に示すように両傾斜リンク８，９間の間隔を規制するスリーブ２３が套嵌されている。
【００１７】
傾斜リンク８，９の各交差部７の内、上から２番目の交差部７には、何れのピン軸も設けられておらず、この交差部７では傾斜リンク８，９は前後に所定の間隔を置いて交差している。従って、この２番目の交差部７を除く各交差部７はピン軸１６〜１８により枢着されている。
【００１８】
各傾斜リンク８，９には、ピン軸１６〜１８を挿通して各傾斜リンク８，９を枢着するための枢着孔２５Ａ〜２５Ｆが各ピン軸１６〜１８に対応して形成されている。そして、長尺の傾斜リンク８，９の各ピン軸１６〜１８用の枢着孔２５Ａ〜２５Ｆの内、その長手方向の中央側の枢着孔２５Ｂ〜２５Ｅは、図５（Ａ）に右上がり傾斜リンク８を、図５（Ｂ）に左上がり傾斜リンク９を夫々例示する如く、長手方向の中央側に接近するほど偏位量ａ〜ｃが大きくなるように、長手方向の両端側の枢着孔２５Ａ，２５Ｆの中心間を結ぶ線分Ｌよりも傾斜リンク８，９の幅方向の下側に偏位している。
【００１９】
また図５、図６に示すように、長尺の傾斜リンク８，９上の隣接するピン軸１６〜１８相互の長手方向の軸間距離Ｔ〜Ｘの内、扉体３の最下部側の軸間距離Ｘは、最上部の軸間距離Ｔを除く上側の軸間距離Ｕ〜Ｗよりも長くなっており、下から３番目の固定ピン軸１６の上下両側の軸間距離Ｕ，Ｗは略同じである。最上部の軸間距離Ｔはその下側の軸間距離Ｕの略２倍よりも若干短くなっており、各傾斜リンク８，９の最上部の隣り合うピン軸１７間は、他の隣り合うピン軸１６〜１８間に比較してその幅方向の弾性変形量が大である。
【００２０】
因みにこの実施例では、長尺の傾斜リンク８，９は、各軸間距離がＴ＝２９５ｍｍ、Ｕ＝１４８ｍｍ、Ｖ＝１４９ｍｍ、Ｗ＝１４９ｍｍ、Ｘ＝１５０ｍｍとなり、中間の下側２個の軸間距離Ｖ，Ｗが同じとなるように、長手方向に６個の枢着孔２５Ａ〜２５Ｆが形成されている。そして、長手方向の両端の枢着孔２５Ａ，２５Ｆは傾斜リンク８，９の幅方向の略中央にあり、中間の４個の各枢着孔２５Ｂ〜２５Ｅの線分Ｌから下側への偏位量はａ＝１ｍｍ、ｂ＝２ｍｍ、ｃ＝３ｍｍとなっている。
【００２１】
他の中尺及び短尺の傾斜リンク８，９には、長尺の傾斜リンク８，９の各交差部７と対応する高さの交差部７に対応する位置に、長尺の傾斜リンク８，９の各枢着孔２５Ａ〜２５Ｆに対応する軸間距離Ｔ〜Ｘ、偏位量ａ〜ｃで同様に枢着孔が形成されている。従って、各傾斜リンク８，９ともその対応する各軸間距離Ｔ〜Ｘ、偏位量ａ〜ｃは扉体３の全体にわたって同じになっている。
【００２２】
このような構成の伸縮門扉では、上から２番目の交差部７を除く各交差部７にピン軸１６〜１８を配置すると共に、各傾斜リンク８，９の各ピン軸１６〜１８用の枢着孔２５Ａ〜２５Ｆの内、その長手方向の中央側の枢着孔２５Ｂ〜２５Ｅを、長手方向の両端側の枢着孔２５Ａ，２５Ｆの中心間を結ぶ線分Ｌよりも傾斜リンク８，９の幅方向の下側に偏位し、各傾斜リンク８，９上の隣接するピン軸１６〜１８相互の軸間距離Ｔ〜Ｘの内、扉体３の最下部側の軸間距離Ｘを最上部の軸間距離Ｔを除く上側の軸間距離Ｕ〜Ｗよりも長くし、最上部の軸間距離Ｔをその下側の軸間距離Ｕの略２倍よりも若干短くし、しかも各傾斜リンク８，９の下から３番目の固定ピン軸１６の上下両側の軸間距離Ｖ，Ｗを略同じにしている。
【００２３】
従って、自由状態において扉体３全体が上すぼまり状の扇形状となることと、各傾斜リンク８，９の弾性変形に伴う持ち上げ力が扉体３全体に作用することとが相まって、扉体３全体の剛性を容易に確保できると共に、伸長状態での移動端側の垂れ下がりを確実に防止でき、しかも組み立て等も容易であり、ピン軸１６〜１８の摩耗等を極力防止できる利点がある。
【００２４】
特にこの実施例では、図６に示すように傾斜リンク８，９の各交差部７の内、その上から２番目の交差部７を除く各交差部７にピン軸１６〜１８を設けているので、次のように６個の四節リンクを構成できる。扉体３には上下２個の大きい四節リンクａｄｊｆ，ｅｉｎｋと、下部側の４個の小さい四節リンクｅｇｊｈ，ｊｌｎｍ，ｇｉｌｊ，ｈｊｍｋとが形成されており、この６個の四節リンクで互いに拘束して扉体３の垂れ下がりを防止する。従って、従来に比較して四節リンクの数が増大し、しかもそれが扉体３の上下方向の中間部分から下部側に集中しているため、扉体３全体の剛性を確保でき、伸縮操作時の揺れ等を少なくでき、また多少の外力が作用してもその変形、その他の損傷を防止できる。
【００２５】
また中間の固定ピン軸１６の上下両側の軸間距離Ｖ，Ｗを同じにしているので、４個の小さい四節リンクｅｇｊｈ，ｊｌｎｍ，ｇｉｌｊ，ｈｊｍｋ相互間で所定の拘束力を確保でき、扉体３全体での各固定ピン軸１６の上下のバラツキを少なくできる。しかも、小さい四節リンクｅｇｊｈ，ｊｌｎｍ，ｇｉｌｊ，ｈｊｍｋは、傾斜リンク８，９の下部側に集中しており、比較的長いリンクで構成できるため、製作時の誤差等の影響によるバラツキを少なくすることができる。
【００２６】
一方、両端の枢着孔２５Ａ，２５Ｆに挿通されたピン軸１７を基準に各傾斜リンク８，９を交差させた場合、長手方向の中間部分の各枢着孔２５Ｂ〜２５Ｅを両端の枢着孔２５Ａ，２５Ｆの中心間を結ぶ線分Ｌから下側に偏位量ａ〜ｃだけ偏位させているので、各傾斜リンク８，９が真っ直ぐな状態では、例えば図７（Ａ）に２個の長尺の傾斜リンク８，９を例示するように各枢着孔２５Ｂ〜２５Ｅの位置が合わない。しかし、実際には傾斜リンク８，９の対応する枢着孔２５Ａ〜２５Ｆにピン軸１６〜１８を挿入して枢着しているので、各傾斜リンク８，９には、図７（Ｂ）に示すようにその長手方向の中央部分を上側へと湾曲させる弾性力が偏位量ａ〜ｃに応じて作用する。このため各傾斜リンク８，９には、図７（Ｂ）に矢印で示すようにその弾性変形によって扉体３の移動端側を持ち上げる持ち上げ方向の力が発生し、これによって扉体３の移動端側の垂れ下がりを防止できる。
【００２７】
また各傾斜リンク８，９の軸間距離Ｔ〜Ｘを変えて扉体３を扇形状に構成する構成と併用しているので、単に枢着孔２５Ｂ〜２５Ｅを偏位させるだけの場合に比較して、各傾斜リンク８，９に大きな持ち上げ力を発生させなくても垂れ下がりを防止でき、枢着孔２５Ａ〜２５Ｆに対するピン軸１６〜１８の挿入等、組み立て時の作業も容易にできる。
【００２８】
更に各傾斜リンク８，９の最上部の軸間距離Ｔがその下側の軸間距離Ｕの２倍よりも若干短い程度の最大長さになっており、この部分の幅方向への弾性変形量が大になっているので、この部分で各傾斜リンク８，９が比較的容易に弾性変形する。このため枢着孔２５Ａ〜２５Ｆとピン軸１６〜１８との間の接触部分の摩耗、特に偏摩耗等を容易に防止できる。
【００２９】
図８、図９は本考案の第２の実施例を例示する。この扉体３は、長尺の傾斜リンク８，９の交差部７を９個とし、その上から２個目の交差部７を除く各交差部７に枢着孔２５Ａ〜２５Ｈを形成した場合である。各枢着孔２５Ａ〜２５Ｈの内、傾斜リンク８，９の長手方向の中央側の枢着孔２５Ｂ〜２５Ｇは、長手方向の両端側の枢着孔２５Ａ，２５Ｈの中心間を結ぶ線分Ｌよりも傾斜リンク８，９の幅方向の下側に偏位している。
【００３０】
また各傾斜リンク８，９上の隣接するピン軸１６〜１８相互の軸間距離Ｔ〜Ｚの内、最上部の軸間距離Ｔ、及び下から３番目のピン軸１６の上下両側の軸間距離Ｘ，Ｙを除く各軸間距離Ｕ，Ｖ，Ｗ，Ｚは下側になるほど順次長くなり、最上部の軸間距離Ｔはその下側の軸間距離Ｕの略２倍よりも若干短くなっている。下から３番目のピン軸１６の上下両側の軸間距離Ｘ，Ｙは略同じであり、上側の軸間距離Ｗよりも長く、下側の軸間距離Ｚよりも短くなっている。
【００３１】
図１０は本考案の第３の実施例を例示する。この実施例では、図１０（Ａ）に右上がり傾斜リンク８を、図１０（Ｂ）に左上がり傾斜リンク９を夫々例示するように、長尺の傾斜リンク８，９の各ピン軸１６〜１８用の枢着孔２５Ａ〜２５Ｆの内、長手方向の両端の枢着孔２５Ａ，２５Ｆは幅方向の略中央の線分Ｓよりも上側に偏位量ｄだけ偏位して形成され、中央側の枢着孔２５Ｂ〜２５Ｅは、長手方向の中央側に接近するほど偏位量ａ〜ｃが大きくなるように、長手方向の両端側の枢着孔２５Ａ，２５Ｆの中心間を結ぶ線分Ｌよりも傾斜リンク８，９の幅方向の下側に偏位して形成されている。
【００３２】
従って、各傾斜リンク８，９では、枢着孔２５Ａ，２５Ｆは線分Ｓに対して偏位量ｄ、枢着孔２５Ｅは線分Ｓに対して偏位量ｄ−ａだけ夫々幅方向の上側へと偏位しており、  枢着孔２５Ｂ，２５Ｄは線分Ｓに対して偏位量ｂ−ｄ、枢着孔２５Ｃは線分Ｓに対して偏位量ｃ−ｄだけ夫々幅方向の下側へと偏位している。線分Ｓに対する各枢着孔２５Ａ〜２５Ｆの幅方向の位置を見た場合、枢着孔２５Ａ，２５Ｆと枢着孔２５Ｃ、枢着孔２５Ｂ，２５Ｄと枢着孔２５Ｅは略対称になっている。
【００３３】
このように各傾斜リンク８，９に各枢着孔２５Ａ〜２５Ｆを形成することにより、各傾斜リンク８，９の幅を有効に利用でき、長手方向の両端の枢着孔２５Ａ，２５Ｆを幅方向の略中央に形成する場合に比較して、各傾斜リンク８，９に幅の小さいものを利用できる。なお、他の構成は第１の実施例と同じである。
【００３４】
以上、本考案の各実施例について詳述したが、本考案は各実施例に限定されるものではなく、その他種々の態様で実施することができる。例えば、各実施例では、右上がり傾斜リンク８、左上がり傾斜リンク９の他に縦枠材６を備えた構造の扉体３について例示しているが、縦枠材６は省略しても良い。
【００３５】
また縦枠材６を備えた扉体３の場合には、長尺の傾斜リンク８，９が５箇所以上の奇数の交差部７で交差し、縦枠材６に対応する上下両側の交差部７を可動ピン軸１７で縦枠材６に対して上下摺動自在に案内するように構成することが望ましい。縦枠材６がない扉体３の場合には、長い傾斜リンク８，９が５箇所以上の交差部７で交差すれば良い。従って、長い傾斜リンク８，９同士が交差する交差部７の数は奇数、偶数の何れでも良い。実施例の軸間距離、偏位量の寸法は一例に過ぎず、その寸法に限定されるものではない。伸縮門扉は、片開き式の他、両開き式でも良い。
【図面の簡単な説明】
【００３６】
【図１】本考案の第１の実施例を示すハンガー式伸縮門扉の正面図である。
【図２】本考案の第１の実施例を示す概略平面図である。
【図３】本考案の第１の実施例を示す扉体の側面図である。
【図４】（Ａ）〜（Ｃ）は本考案の第１の実施例を示す枢着部の断面図である。
【図５】（Ａ）（Ｂ）は本考案の第１の実施例を示す傾斜リンクの説明図である。
【図６】本考案の第１の実施例を示す扉体の説明図である。
【図７】（Ａ）（Ｂ）は本考案の第１の実施例を示す傾斜リンクの作用説明図である。
【図８】本考案の第２の実施例を示すハンガー式伸縮門扉の正面図である。
【図９】本考案の第２の実施例を示す傾斜リンクの説明図である。
【図１０】（Ａ）（Ｂ）は本考案の第３の実施例を示す傾斜リンクの説明図である。
【符号の説明】
【００３７】
３  扉体
８  右上がり傾斜リンク
９  左上がり傾斜リンク
７  交差部
１６  固定ピン軸
１７  可動ピン軸
１８  遊動ピン軸
２５Ａ〜２５Ｈ  枢着孔
Ｌ  線分
Ｔ〜Ｚ  軸間距離
【図１】
0003114582.tif 000003
【図２】
0003114582.tif 000004
【図３】
0003114582.tif 000005
【図４】
0003114582.tif 000006
【図５】
0003114582.tif 000007
【図６】
0003114582.tif 000008
【図７】
0003114582.tif 000009
【図８】
0003114582.tif 000010
【図９】
0003114582.tif 000011
【図１０】
0003114582.tif 000012